(57)【特許請求の範囲】
【請求項１】
内部に発電用風車を設けるための垂直に立設された筒状の風洞と、突き当たる地表風を誘導面で上方に偏向せしめて該風洞の下端開口から該風洞内に誘導する偏向器とを備え、前記偏向器が分割面によって複数の構成部材に分割されており、該分割面の開き角を調整することにより前記風洞内に誘導する風量を調整するようにした、風力発電用の垂直風洞装置。
【請求項２】
前記風洞の下端開口近傍又は／及び風洞内の風速を検出する風速検出手段と、前記分割面の開き角を制御する分割制御装置とを備え、該分割制御装置は、該風速検出手段によって検出された風速に応じて該開き角を制御する、請求項１記載の風力発電用の垂直風洞装置。
【請求項３】
前記風洞の前記発電用風車を設ける位置にくびれ部が形成された、請求項１又は２記載の風力発電用の垂直風洞装置。
【請求項４】
前記風洞の上端開口が、前記くびれ部による風洞内部の圧力降下以上の大気圧降下が得られる高さに位置する、請求項１〜３のいずれか１項に記載の風力発電用の垂直風洞装置。
【請求項５】
前記偏向器が前記風洞の中心軸を旋回中心として旋回可能に設けられた、請求項１〜４のいずれか１項に記載の風力発電用の垂直風洞装置。
【請求項６】
地表風の風向きを検出する風向検出手段と、前記偏向器の旋回角度を制御する旋回制御装置とを備え、該旋回制御装置は、該風向検出手段によって検出された風向に応じて該偏向器の旋回角度を制御する、請求項５記載の風力発電用の垂直風洞装置。
【請求項７】
前記偏向器の前記誘導面に開閉窓を設け、該開閉窓の開口面積を調整することにより前記風洞内に誘導する風量を調整するようにした、請求項１〜６のいずれか１項に記載の風力発電用の垂直風洞装置。
【請求項８】
前記風洞の下端開口近傍又は／及び風洞内の風速を検出する風速検出手段と、前記開閉窓の開口面積を制御する開閉制御装置とを備え、該開閉制御装置は、該風速検出手段によって検出された風速に応じて該開口面積を制御する、請求項７記載の風力発電用の垂直風洞装置。
【請求項９】
内部に発電用風車を設けるための垂直に立設された筒状の風洞内に、地表風のエネルギーを誘導する風力エネルギー誘導方法であって、突き当たる地表風を上方に偏向せしめる誘導面を有する偏向器で、地表風を該風洞の下端開口から該風洞内に誘導し、分割面によって複数の構成部材に分割された前記偏向器の該分割面の開き角を調整することにより前記風洞内に誘導する風量を調整する、風力エネルギー誘導方法。
【請求項１０】
前記風洞の前記発電用風車を設ける位置にくびれ部を形成し、該くびれ部の位置で、該風洞内に取り込んだ地表風の風力エネルギーを濃集する、請求項９記載の風力エネルギー誘導方法。
【請求項１１】
前記偏向器を前記風洞の中心軸を旋回中心として旋回可能に設け、地表風の風向きに応じて該偏向器を旋回させる、請求項９又は１０記載の風力エネルギー誘導方法。
【発明の詳細な説明】
【０００１】
【発明の属する技術分野】
この出願に係る発明は、風力発電に利用される垂直風洞装置および風力エネルギーの誘導方法に関する。
【０００２】
【従来の技術】
地球温暖化対策の一環として枯渇することがない再生可能なクリーンエネルギーの利用が求められる中で、風力発電は低コストで且つ環境的にも安全な発電方法として注目されている。
【０００３】
従来から、風力エネルギーを利用して機械的エネルギーや熱エネルギー、或いは電気エネルギーを得るために風車が使われている。風車にはその目的によっていろいろな形式のものがあり、それぞれ特徴がある。水平軸風車には、オランダ型風車、多翼型風車、プロペラ型風車、セイルウィング型風車などがある。また垂直軸風車には、パドル型風車、Ｓ型風車、クロスフロー型風車、サボニウス型風車、ダリウス型風車などがある。発電には、ソリディティが小さく、回転数が高いプロペラ型風車が有利で、世界的にも広く使われている。
【０００４】
風力エネルギーは密度が比較的小さいので、大出力の発電を行うには直径の大きな風車が用いられる。欧米では直径が１００ｍに達する大きなローターが用いられることもあるほどである。
【０００５】
図１４に示す風力発電装置は、現在欧米諸国で実証的に行われている風力発電装置の例であり、比較的大きな出力であるメガワット（ＭＷ）級の発電が可能なものである。この装置は、定格風速１２ｍ／ｓ(平均風速では６〜７ｍ／ｓ)で１．２ＭＷの定格出力を得る。ローター101aの直径は６０ｍである。ハブ101eの地上からの高さ位置は４６〜５０ｍである。よってこの装置は全高約８０ｍの巨大な装置になる。
【０００６】
ローター面に入る風力エネルギー量は風速の３乗とローター面積の積に比例するから、強くて乱れのない風が常に得られる場所に風車が設置されるのが理想的である。欧米ではこうした設置条件に恵まれていることもあって、風力発電が比較的古くから行われており、最近の風車技術の発達で経済性が著しく改善されたこともあってその普及が顕著である。
【０００７】
ローターのエネルギー吸収効率を示す出力係数（入力である風力エネルギーと出力である発電エネルギーの比）も、最近のローターでは４０％を超えるものが一般的になってきている。また、軽くて強いローターにより、風車が回り始める風速(Cut-in Speed)は３ｍ／ｓ程度に下がり、またローターに対する強度剛性上の制限速度(Cut-out Speed)も６０ｍ／ｓ程度にまで上がっている。こうした技術をべースに、４ＭＷ級の発電出力が得られるようになっている。
【０００８】
【発明が解決しようとする課題】
しかしわが国は、年間を通した平均風速が比較的弱く、また地形的にも複雑で恒風に恵まれないという、一般的に風力発電には不利な地勢である。特に大直径ローターによる大型発電は、コスト的に不利で、設置にも適当な場所が得られ難いこともあって、日本では風力発電の普及が欧米に比べて遅れている。
【０００９】
また、風力発電では、風の強弱に合わせてローターのピッチを変えることによりエネルギー吸収効率を向上させることが行われているが、ピッチを変更する機構は複雑であり、風力発電のコスト低減の障害になっている。
【００１０】
また暴風等でローターが損傷したり、過回転で発電機が損傷したりすることを防ぐためには、ローターの制動装置や強い風圧から逃れるための強風圧回避機構も必要である。
【００１１】
また、多くの風力発電では、風車が風を受けるために大気中に露出しており、そのため、風車の回転に伴って騒音や空気の乱れが発生する。
【００１２】
なお、風向きの変動に係わらず効率よく、しかも比較的弱い風でも発電しようとする試みは、実開昭57-180163号、実開昭57-2279号、特開昭53-5348号などにも示されているが、これらのいずれのものよりも、大型風力発電で行われているようにローターを巨大化した方が経済的に有利であることを考えると実用的ではない。また風速を増大するために直立円筒を利用する考えが実開昭62-64882号に示されているが、発電エネルギーとしては過小であって、これも実用的ではない。
【００１３】
上記したように、風力発電が他のクリーンエネルギー利用や一般の火力、原子力発電等に比べて遜色があり、普及が遅れる原因の一つには、風力エネルギーの密度が小さいことを補うために大きな風車が必要で、このことがコスト高の原因となっており、結果的に他のエネルギー利用に比べて発電コストが高くなるということがある。また口ーターのピッチ変更機構や制動装置、強風圧回避機構などが風車全体の機構を複雑にして製造コストを上昇させ、ひいては発電コスト上昇の原因になっている。また、ローターが回転するときに発生する音や後流の乱れが環境に悪い影響をもたらし、新たな公害として指摘されている。また風車の破損事故の発生に対して、被害が第三者に及ぶ危険性が懸念されるという問題点もある。
【００１４】
【課題を解決するための手段】
上記課題を解決するために、この出願発明に係る風力発電用の垂直風洞装置は、内部に発電用風車を設けるための垂直に立設された筒状の風洞と、突き当たる地表風を誘導面で上方に偏向せしめて該風洞の下端開口から該風洞内に誘導する偏向器とを備えている（請求項１）。かかる構成によれば、誘導面によって風洞内部に誘導された風力エネルギーで風洞内の風車を回転させることができる。風車は風洞内で下向きに固定したままで、常に風に正対する。
【００１５】
上記風力発電用の垂直風洞装置において、前記風洞の前記発電用風車を設ける位置にくびれ部を形成してもよい（請求項２）。かかる構成によれば、風洞内のくびれ部で風力エネルギーが濃集される。よって地表風のエネルギー密度が希薄でも風車を回転させて発電させることができる。
【００１６】
また、上記風力発電用の垂直風洞装置において、前記風洞の上端開口が、前記くびれ部による風洞内部の圧力降下以上の大気圧降下が得られる高さに位置するように構成してもよい（請求項３）。かかる構成によれば、煙突効果によって風洞内を通過する風量が維持される。
【００１７】
また、上記風力発電用の垂直風洞装置において、前記偏向器を前記風洞の中心軸を旋回中心として旋回可能に設けるようにしてもよい（請求項４）。さらに、地表風の風向きを検出する風向検出手段と、前記偏向器の旋回角度を制御する旋回制御装置とを備え、該旋回制御装置が、該風向検出手段によって検出された風向に応じて該偏向器の旋回角度を制御するようにしてもよい（請求項５）かかる構成によれば、地表風の向きに応じて誘導面を地表風に対向させることができる。
【００１８】
また、上記風力発電用の垂直風洞装置において、前記偏向器が分割面によって複数の構成部材に分割されており、該分割面の開き角を調整することにより前記風洞内に誘導する風量を調整するようにしてもよい（請求項６）。さらに、前記風洞の下端開口近傍 又は／及び 風洞内の風速を検出する風速検出手段と、前記分割面の開き角を制御する分割制御装置とを備え、該分割制御装置が、該風速検出手段によって検出された風速に応じて該開き角を制御するようにしてもよい（請求項７）。かかる構成によれば、風速に応じて分割面を開き、地表風を偏向器の後方へ逃がして風洞に誘導する風量を調整できる。
【００１９】
また、上記風力発電用の垂直風洞装置において、前記偏向器の前記誘導面に開閉窓を設け、該開閉窓の開口面積を調整することにより前記風洞内に誘導する風量を調整するようにしてもよい（請求項８）。さらに、前記風洞の下端開口近傍又は／及び 風洞内の風速を検出する風速検出手段と、前記開閉窓の開口面積を制御する開閉制御装置とを備え、該開閉制御装置が、該風速検出手段によって検出された風速に応じて該開口面積を制御するようにしてもよい（請求項９）。かかる構成によれば、風速に応じて開閉窓の開口面積を調整し、地表風を偏向器の後方へ逃がして風洞に誘導する風量を微調整できる。
【００２０】
また、上記課題を解決するために、この出願発明に係る風力エネルギー誘導方法は、内部に発電用風車を設けるための垂直に立設された筒状の風洞内に、地表風のエネルギーを誘導する風力エネルギー誘導方法であって、突き当たる地表風を上方に偏向せしめる誘導面を有する偏向器で、地表風を該風洞の下端開口から該風洞内に誘導する方法である（請求項１０）。かかる方法によれば、誘導面によって風洞内部に誘導された風力エネルギーで風洞内の風車を回転させることができる。風車は風洞内で下向きに固定したままで、常に風に正対する。
【００２１】
また、上記風力エネルギー誘導方法において、前記風洞の前記発電用風車を設ける位置にくびれ部を形成し、該くびれ部の位置で、該風洞内に取り込んだ地表風の風力エネルギーを濃集するようにしてもよい（請求項１１）。かかる方法によれば、風洞内のくびれ部で風力エネルギーが濃集される。よって地表風のエネルギー密度が希薄でも風車を回転させて発電させることができる。
【００２２】
また、上記風力エネルギー誘導方法において、前記偏向器を前記風洞の中心軸を旋回中心として旋回可能に設け、地表風の風向きに応じて該偏向器を旋回させるようにしてもよい（請求項１２）。かかる方法によれば、地表風の向きに応じて誘導面を地表風に対向させることができる。
【００２３】
【発明の実施の形態】
以下、図面を参照しながら本願発明の一実施形態を説明する。図１は本願発明に係る垂直風洞装置Ａの斜観図、図２はその正面図、図３はその側面図である。また、図４、図５、図６はそれぞれ図２のＬ−Ｌ線矢視断面図、Ｍ−Ｍ線矢視断面図、Ｎ−Ｎ線矢視断面図である。図中の矢印Ｋは、地表風の風向きを示す。
【００２４】
垂直風洞装置Ａは、主に、基底面Ｂたる地上面に垂直に立設された筒状の風洞１と、風洞１の下方に設けられた偏向器２とで構成されている。
【００２５】
風洞１は、パネル構造で構成されている。すなわち、６本の鉄柱ｈを立設し、鉄柱ｈの間に規格化された大きさのパネルをはめこんでパネル壁1aを形成することにより構成されている。パネル構造としたのは風洞１を安価に建設するためである。パネル構造を採用したため、風洞１の横断面形状は６角形となっているが、風洞１の機能を奏するためにはその横断面形状を特に多角形とする必要はなく、例えば円形であってもよい。風洞１の寸法は、図２に記載されている通りである。風洞１の下端開口1cから上端開口1dまでの長さは４２ｍである。下端開口1cは基底面Ｂたる地上面から約１７ｍの高さに位置しているので、上端開口1dは基底面Ｂから約５９ｍの高さ位置にある。
【００２６】
風洞１はその高さ方向の中間部にくびれ部1bが形成されている。このくびれ部1bは下端開口1cから２５ｍの位置に形成されており、その内側には発電用風車たるローターＲが取り付けられている。このローターＲは図示しない発電機に連結されている。ローターＲは直径１２．９ｍであり、例えば図１４に示すローター101aに比べて非常に小型である。風洞１の下端開口1cの面積（Ac）は約４００ｍ2であり、くびれ部1bの部分の断面積（Ab）に対する比（λ＝Ac/Ab）は、約３である。風洞１の下方には偏向器２が設けられている。
【００２７】
図７は偏向器２の斜観図であり、図８はその平面図である。図９は、偏向器２を構成する４つの構成部材21、22、23、24の斜観図である。偏向器２の形状は、平面視において略半円形であり、円弧状に湾曲した縦断面を有する外殻部2aを有する。この外殻部2aの内側の空間は風室として機能するのであるが、ここには複数のフィンfが並設されている。外殻部2aの内側面2bは、地表風を上方に偏向せしめて風洞１の下端開口1cから風洞１内に誘導する誘導面として機能する。
【００２８】
基底面Ｂには環状のリングレール３が敷設されている。そして、偏向器２の下にはローラが取り付けられておりこのローラがリングレール３上に載っている。そして、偏向器２は旋回中心軸４を中心としてリングレール３上を旋回できるように構成されている。この旋回中心軸４は風洞１の中心軸に一致している。偏向器２は分割構造になっており、旋回中心軸４から外方へ向かう分割面S1、S2、S3によって４つの構成部材21、22、23、24に分割される。各分割面S1、S2、S3の開き角は自由に調整できるようになっている。構成部材22、23には開閉窓wが形成されている。この開閉窓wは、開閉度合いによってその開口面積を調整できるように構成されている。
【００２９】
図１０は、分割面S2を開いた状態の偏向器２の斜観図であり、図１１はその平面図である。このように分割構造を採用すると、後述するように風洞１へ誘導する風量の調整に資するだけでなく、分割して輸送できるという点でも都合がよい。
【００３０】
図１２は、垂直風洞装置Ａの制御系統と電力系統とを示すブロック図である。制御信号の流れは実線で、電力の流れは点線で示されている。垂直風洞装置Ａは地表風の風向きを検出する風向検出手段たる風向検出部31を備えている。また、風速を検出する風速検出手段たる風速検出部32を備えている。風速検出部32は、下端開口1cの風速と風洞１内のローターＲの上流側の風速とを検出している。これら検出部31、32からの検出信号が制御回路30に送出される。制御回路30はこれらの検出信号に基づいて、旋回制御装置33や分割制御装置34や開閉制御装置35に制御信号を送出する。この信号に基づいて、旋回制御装置33は偏向器２の旋回角度を制御し、分割制御装置34は偏向器２の分割面S1、S2、S3の開き角を制御し、開閉制御装置35は開閉窓wの開口面積を制御する。
【００３１】
発電機41はローターＲに連結されており、ここで発生した電力は電圧調整部42で電圧が調整されて送電系統43に送出されるとともに、電源調整部40に送出される。電源調整部40は受電系統44からも電力供給を受けている。電源調整部40は、制御回路30、風向検出部31、風速検出部32、旋回制御装置33、分割制御装置34、開閉制御装置35にその動作に必要となる電力を供給している。ローターＲが回転して発電機41が十分な電力を発生しているときは電源調整部40から出力される電力は電圧調整部42からの電力でまかなわれ、ローターＲが十分に回転せず発電機41が十分な電力を発生できないときは電源調整部40から出力される電力は受電系統44からの電力でまかなわれる。
【００３２】
垂直風洞装置Ａは、概略、以上のように構成されている。以下にこの垂直風洞装置Ａの作用を説明する。制御回路30は、地表風の風向きを検知して、図１、図７のように、偏向器２の誘導面2bが地表風に対面するように偏向器２を旋回させる。誘導面2bに突き当たった地表風は、誘導面2bによって上方に偏向され、風洞１の下端開口1cから風洞１内に取り込まれる。そしてその風力エネルギーはくびれ部1bの部分で濃集されて、ローターＲを回転させる。風洞１内では風の方向は常に上向きになる。よって、ローターＲは風洞１内で下向きのまま固定されているのであるが常に風に正対する。くびれ部1bに生じる風力エネルギー密度の増加は、下端開口1cの開口面積Acとくびれ部1bの断面積Abの比（λ）の３乗に比例する。くびれ部1bに生じた高エネルギー密度流の中でローターＲの回転は促進されるので、ローターＲとしては比較的小型のものを採用できる。このことは発電コストの低減に繋がる。
【００３３】
一方、くびれ部1bで風力エネルギー密度を増加させると、それに伴って圧力降下を生じるために、λが大きいと充分な風量を維持できなくなる。これを防止するために上端開口1dの高さ位置を高めて、大気圧傾斜によって上端開口1dでの圧力降下を得ている。この垂直風洞装置ＡのローターＲは定格風速１２ｍ／ｓで１．２ＭＷの定格出力が得られるものであるが、定格運転時において、くびれ部1bでの圧力低下量は取り込み口たる下端開口1cでの圧力に比べて０．２〜０．３％である。これを大気圧傾斜で補うようにするためには、下端開口1cから上端開口1dまでの長さが約２５ｍ以上あればよいのであるが、本実施形態ではその長さが４２ｍである。上端開口1dは地表境界層の外に出ており、煙突効果を有効に得ることができるので、くびれ部1bを通過して上端開口1dから空気流が排出されるまでのエネルギー損を大気圧傾斜で補うに十分である。このようにして風洞１内を通過する風量が維持される。さらに、くびれ部1bから上端開口1dまでは徐々に断面積が拡大しているので、ロ−ターＲを通過した空気流は、拡散効果によって圧力回復が促進される。このように風洞１内の圧力低下を補うに十分な高さに設計しても、なお、図１４の風力発電装置に比べると小型である。
【００３４】
ローターＲによる発電の効率化のためには、運転状態を定格運転状態に近づけ、その状態を維持することが望ましい。そのために、この垂直風洞装置Ａは、種々の調整手段を備えている。かかる調整手段の一つとして、偏向器２を旋回制御する旋回制御装置33がある。例えば、地表風のエネルギーを最も有効に利用するために、制御回路30は地表風の風向を検知して誘導面2bが地表風に対向するように偏向器２の旋回角度を設定する。よって地表風の風向に対して全方位で対応可能であり、風速が弱くても、このエネルギーを最大限に利用できる。また別の調整手段として、分割制御装置34がある。例えば、風速が強すぎるときは、制御回路30は、分割面S1、S2、S3を開いて地表風を偏向器２の後方へ逃がし、風洞１内に誘導する風量を制限する。分割面S1、S2、S3の開き角は独立して調整できる。さらに別の調整手段として、開閉制御装置35がある。制御回路30は、開閉窓wの開口面積を調整することにより、偏向器２の後方へ逃がす風量を微妙に調整できる。つまり、風洞１内に誘導する風量の微調整が可能となる。
【００３５】
このように、ローターＲを定格運転するための調整手段が設けられているので、ローターＲとしては固定ピッチのものを使用すれば十分である。ローターのピッチ変更機構や制動装置が不要となると、発電コストの低減にも繋がる。
【００３６】
図１３は、風洞１内に地表風が誘導されないようにして、垂直風洞装置Ａを保護する状態を示している。図１３中の矢印Ｋは、地表風の風向きを示す。暴風のように地表風が強すぎるときに、風洞１内に地表風を誘導するとローターＲの過回転を招き、装置が破損する恐れがある。また、風洞１内に異物が突入する可能性もある。よって、地表風の風速が強すぎるときは、制御回路30は旋回制御装置33を制御して、図１３のように偏向器２の誘導面2bが地表風の下流を向くようにするのである。このような状態に制御できるので、強風圧回避機構は不要となり、ひいては発電コストの低減に繋がる。
【００３７】
また、垂直風洞装置ＡはローターＲを風洞１内に設置するので、ローターＲの発する音が外部に漏れにくい。また、後流の乱れの問題も生じない。さらに、仮に風洞１内に異物が突入してローターＲが破損しても、風洞１がその破片の飛散を防止するので、安全である。
【００３８】
以上のように、垂直風洞装置Ａによると、弱い自然風でも有効利用できるので設置場所の自由度が上がり、多数の地点での風力発電が可能となる。特にわが国のように比較的年間平均風速が低い地勢でも、全国的に普及できるので、年間の発電量を増やすことが期待できる。また、石油系火力発電の一部代替として地球温暖化対策としての効果も期待でき、より安価な電力供給の可能性を秘めている。  以上、本願発明の一実施形態を説明した。上記実施形態では、垂直風洞装置Ａの基底面Ｂを地表面としたが、地表面よりも高い位置を基底面として垂直風洞装置Ａを構成することもできる。また、上記実施形態では縦断面が円弧状の外殻部2aの内側面2bが誘導面となっているので誘導面は円弧状の湾曲面になっているが、誘導面は地表風を上方へ偏向させることができるような形状であればどのような形状でもよい。例えば、平面状の傾斜面であってもよい。
【００３９】
【発明の効果】
本発明は、以上説明したような形態で実施され、以下に記載されるような効果を奏する。
【００４０】
（１）風洞内ではローターが常に風に正対するので、地表風の方位に応じてローターや発電機を旋回させる必要がない。よって、構造が簡単になる。また、騒音が低減され、後流の乱れを生じさせることもない。また、ローターの破損事故が生じても、その破片が飛散されず安全である。
【００４１】
（２）垂直に立設される風洞にくびれ部を形成すると、くびれ部の部分で風力エネルギーが濃集され、希薄な密度の地表風の風力エネルギーを有効に利用して発電することができる。特に強い地表風が吹かない地域で有効となる。
【００４２】
（３）風洞の上端開口が、くびれ部による風洞内部の圧力降下以上の大気圧降下が得られる高さに位置するようにすると、煙突効果によって風洞内を通過する風量を維持できる。
【００４３】
（４）旋回可能な偏向器を用いると、全方位の地表風の風力エネルギー流を効率よく上方に偏向して風力発電に利用できる。
【００４４】
（５）偏向器を分割構造とし、または、開閉窓を設けるようにすると、風洞に誘導する風量を調節しやすくなる。ひいては、固定ピッチの風車の採用も可能となる。
【図面の簡単な説明】
【図１】垂直風洞装置の斜観図である。
【図２】垂直風洞装置の正面図である。
【図３】垂直風洞装置の側面図である。
【図４】図２のＬ−Ｌ線矢視断面図である。
【図５】図２のＭ−Ｍ線矢視断面図である。
【図６】図２のＮ−Ｎ線矢視断面図である。
【図７】偏向器の斜観図である。
【図８】偏向器の平面図である。
【図９】偏向器の構成部材の斜観図である。
【図１０】分割面を開いた状態の偏向器の斜観図である。
【図１１】分割面を開いた状態の偏向器の平面図である。
【図１２】垂直風洞装置の制御系統と電力系統とを示すブロック図である。
【図１３】風洞内に地表風が誘導されないようにして垂直風洞装置を保護する状態の、偏光器の斜観図である。
【図１４】欧米諸国で実証的に行われている風力発電装置の正面図である。
【符号の説明】
Ａ  垂直風洞装置
Ｂ  基底面
Ｒ  ローター
１  風洞
ｈ  鉄柱
1a  パネル壁
1b  くびれ部
1c  下端開口
1d  上端開口
２  偏向器
ｗ  開閉窓
2a  外殻部
2b  誘導面
21，22，23，24  構成部材
S1，S2，S3  分割面
３  リングレール
４  旋回中心軸
30  制御回路
31  風向検出部
32  風速検出部
33  旋回制御装置
34  分割制御装置
35  開閉制御装置
40  電源調整部
41  発電機
42  電圧調整部
43  送電系統
44  受電系統
【図１】
0004074707.tif 000002
【図２】
0004074707.tif 000003
【図３】
0004074707.tif 000004
【図４】
0004074707.tif 000005
【図５】
0004074707.tif 000006
【図６】
0004074707.tif 000007
【図７】
0004074707.tif 000008
【図８】
0004074707.tif 000009
【図９】
0004074707.tif 000010
【図１０】
0004074707.tif 000011
【図１１】
0004074707.tif 000012
【図１２】
0004074707.tif 000013
【図１３】
0004074707.tif 000014
【図１４】
0004074707.tif 000015